(57)【要約】      （修正有）【課題】光源装置から出射された光が拡散板に到達することを妨害しない拡散板サポータの提供。【解決手段】ディスプレイ装置１００は、拡散板サポータ１５０、バックライトユニット及び電子機器拡散板サポータ１５０で拡散板１２０を支持する部分を透明な素材で構成する。カバーボトム１３０に締結される部分を不透明な素材で構成することによって、拡散板サポータ１５０が拡散板１２０に光が到達することを妨害しない、かつ、カバーボトム１３０の背面に光漏れが発生することが防止できるようにする。また、透明な素材で構成された部分と不透明な素材で構成された部分との境界部分に対する補強設計を通じて拡散板サポータ１５０の回転締結時、互いに異なる素材からなる部分が分離される現象が防止できるようにする。【選択図】図１
2019024003.tif 000002
【特許請求の範囲】
【請求項１】
突出した形態を有する、透明な支持部と、
前記支持部の下端部から水平方向に延長し、垂直方向に曲がる、透明な連結部と、
少なくとも一部が前記連結部の端部と連結される側面を有する、不透明なベースと、
前記ベースの下面から突出する、不透明な締結部と、
を含む、拡散板サポータ。
【請求項２】
前記連結部は、前記連結部が前記ベースと連結される部分で前記ベースの側面のうちの一部を覆いかぶせながら延長する、請求項１に記載の拡散板サポータ。
【請求項３】
前記連結部には、前記ベースの対応する２つの側面と連結される２つの部分が存在する、請求項１に記載の拡散板サポータ。
【請求項４】
前記連結部は、前記ベースの第１側面と連結される第１部分で第１方向に延長し、前記ベースの前記第１側面の周辺の側面を覆いかぶせ、
前記連結部は、前記ベースの第２側面と連結される第２部分で前記第１方向と異なる第２方向に延長し、前記ベースの前記第２側面の周辺の側面を覆いかぶす、請求項３に記載の拡散板サポータ。
【請求項５】
前記連結部により前記支持部と前記ベースとは互いに離隔する、請求項１に記載の拡散板サポータ。
【請求項６】
前記連結部は、前記ベースの側面の少なくとも一部を覆いかぶせて、前記支持部と前記ベースとを互いに連結する前記連結部の部分の幅は前記ベースの側面の少なくとも一部を覆いかぶす前記連結部の部分の幅より広い、請求項１に記載の拡散板サポータ。
【請求項７】
突出した形態を有する、透明な支持部と、
前記支持部の下端部に連結され、前記支持部の前記下端部の面積より広い面積を有する、不透明なベースと、
前記ベースの下面から突出する、不透明な締結部と、
を含む、拡散板サポータ。
【請求項８】
請求項１から７のうちのいずれか１つに記載の拡散板サポータと、前記拡散板サポータにより支持される下面を有する拡散板と、前記拡散板サポータが締結され、前記拡散板を収納するよう構成されたカバーボトムを含む、バックライトユニット。
【請求項９】
前記カバーボトムは前記拡散板サポータが締結されるホールを含み、前記ベースは前記ホールの上部に位置する、請求項８に記載のバックライトユニット。
【請求項１０】
請求項１から７のうちのいずれか１つの拡散板サポータと、前記拡散板サポータにより下面が支持される拡散板と、前記拡散板サポータが締結され、前記拡散板を収納するカバーボトムとを含むバックライトユニットと、
前記バックライトユニットの上部に配置され、前記バックライトユニットから供給される光を受けるディスプレイパネルとを含む、電子機器。
【発明の詳細な説明】
【技術分野】
【０００１】
本実施形態は、拡散板サポータ、バックライトユニット、及び電子機器に関するものである。
【背景技術】
【０００２】
情報化社会が発展するにつれて、画像を表示するディスプレイ装置に対するユーザの多様な要求が増加しており、液晶ディスプレイ装置（Liquid Crystal Display Device）、プラズマディスプレイ装置（Plasma Display Device）、有機発光ディスプレイ装置（Organic Light Emitting Display Device）などの多様なディスプレイ装置が活用されている。
【０００３】
このようなディスプレイ装置のうち、液晶ディスプレイ装置はディスプレイパネルに液晶を配置し、液晶に加える電圧によって液晶の配列を変化させることによって、色相、階調を表現する。ここで、液晶ディスプレイ装置はディスプレイパネルに配置された液晶に光を照射するバックライトユニット（Back Light Unit）のような構造物を含むことができる。
【０００４】
このようなバックライトユニットは光を出射する光源装置を含むことができ、光源装置はバックライトユニットの類型によってディスプレイパネルの側面に配置されるか（エッジタイプ）、またはディスプレイパネルの下部に配置できる（直下タイプ）。
【０００５】
ここで、バックライトユニットが直下タイプである場合、バックライトユニットの構成要素を収納するカバーボトムの上面に光源装置が配置され、光源装置から出射された光を拡散させる拡散板が光源装置と離隔して配置できる。また、拡散板が垂れることを防止するために、カバーボトムの上面と拡散板の下面との間に拡散板を支持する拡散板サポータが配置できる。
【０００６】
このような拡散板サポータは、カバーボトムに締結されて固定され、突出した形態を有し、拡散板の下面を支持することができる。
【０００７】
そして、拡散板サポータは拡散板が垂れることを防止するために配置されるので、拡散板がカバーボトムにより支持されないカバーボトムの中央領域（または、縁を除外した領域）に配置できる。
【０００８】
したがって、拡散板サポータはカバーボトムの中央領域で光源装置が配置されない個所に位置することができ、カバーボトムと拡散板との間で拡散板を支持する形態に配置されるので、光源装置から出射された光が拡散板に到達することを妨害することがある。
【０００９】
このような問題点を防止するために、透明な拡散板サポータを使用することもできる。
【００１０】
しかしながら、透明な拡散板サポータを使用する場合、拡散板サポータが締結されるカバーボトムのホールを通じて光漏れが発生することがあるので、光源装置から出射された光の効率が低下する問題点が存在する。
【発明の概要】
【発明が解決しようとする課題】
【００１１】
本実施形態の目的は、バックライトユニットの光源装置から出射された光の移動経路を妨害しない、かつバックライトユニットの背面の光漏れを防止することができる拡散板サポータと、これを含むバックライトユニット及び電子機器を提供することにある。
【００１２】
本実施形態の他の目的は、拡散板を支持する拡散板サポータをカバーボトムに締結時、拡散板サポータの損傷を防止することができる堅い拡散板サポータを提供することにある。
【課題を解決するための手段】
【００１３】
一態様において、本実施形態は、カバーボトムと、カバーボトム上に配置された光源と、光源と離隔して配置された拡散板と、カバーボトムに締結され拡散板を支持する拡散板サポータを含み、拡散板サポータは、拡散板の下面を支持し透明な支持部と、支持部の下端部と連結され不透明なベースと、ベースの下面と連結されカバーボトムを貫通して一部がカバーボトムの下部に位置する締結部を含むバックライトユニットを提供する。
【００１４】
他の態様において、本実施形態は、透明で突出した形態である支持部と、支持部の下端部で水平方向に延長され、垂直方向に曲がる透明な連結部と、側面のうちの少なくとも一部が連結部の端部と連結される不透明なベースと、ベースの下面から突出する不透明な締結部を含む拡散板サポータを提供する。
【００１５】
他の態様において、本実施形態は、透明で突出した形態である支持部と、支持部の下端部に連結され、支持部の前記下端部の面積より広い面積を有する不透明なベースと、ベースの下面から突出する不透明な締結部を含む拡散板サポータを提供する。
【００１６】
他の態様において、本実施形態は、ディスプレイパネルと、ディスプレイパネルの下部に光を供給するバックライトユニットを含み、バックライトユニットは、光源と、光源と離隔して配置された拡散板と、光源及び拡散板を収納するカバーボトムと、カバーボトムと締結され拡散板を支持する拡散板サポータを含み、拡散板サポータは拡散板の下面を支持する透明な支持部と、支持部の下端部で水平方向に延長され、垂直方向に曲がる透明な連結部と、側面のうちの少なくとも一部が連結部の端部と連結される不透明なベースと、ベースの下面と連結され、カバーボトムを貫通して一部がカバーボトムの下部に位置する締結部を含む電子機器を提供する。
【発明の効果】
【００１７】
本実施形態によれば、拡散板サポータで拡散板を支持する部分を透明にすることによって、拡散板サポータにより光源装置から出射された光の移動経路が妨害を受けないようにする。
【００１８】
また、拡散板サポータでカバーボトムと締結される部分を不透明にすることによって、拡散板サポータが締結されるカバーボトムのホールを通じて光漏れが発生することが防止できるようにする。
【００１９】
また、拡散板サポータで透明な支持部分と不透明な締結部分が連結される部分で接触面積を増加させることによって、拡散板サポータの締結時、支持部分と締結部分が剥離される現象が防止できるようにする。
【図面の簡単な説明】
【００２０】
【図１】本実施形態に係るディスプレイ装置の概略的な構成を示す図である。
【図２】本実施形態に係るバックライトユニットの断面の例示を示す図である。
【図３】本実施形態に係る拡散板サポータの第１実施形態を示す図である。
【図４】本実施形態に係る拡散板サポータの第２実施形態を示す図である。
【図５】本実施形態に係るバックライトユニットに第２実施形態に係る拡散板サポータが配置された構造の例示を示す図である。
【図６】本実施形態に係る拡散板サポータをカバーボトムに締結する方式を示す図である。
【図７】本実施形態に係る拡散板サポータの第３実施形態を示す図である。
【図８】第３実施形態に係る拡散板サポータの他の例示を示す図である。
【図９】第３実施形態に係る拡散板サポータの他の例示を示す図である。
【図１０】第２実施形態に係る拡散板サポータと第３実施形態に係る拡散板サポータの回転締結時、損傷有無をテストした結果を示す表である。
【発明を実施するための形態】
【００２１】
以下、本発明の一部の実施形態を例示的な図面を参照して詳細に説明する。各図面の構成要素に参照符号を付加するに当たって、同一な構成要素に対しては、たとえ他の図面上に表示されてもできる限り同一な符号を有することができる。また、本発明を説明するに当たって、関連した公知構成または機能に対する具体的な説明が本発明の要旨を曖昧にすることがあると判断される場合には、その詳細な説明は省略することができる。
【００２２】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により当該構成要素の本質や回順序、順序、または個数などが限定されない。ある構成要素が他の構成要素に“連結”、“結合”、または“接続”されると記載された場合、その構成要素はその他の構成要素に直接的に連結または接続できるが、各構成要素の間に更に他の構成要素が“介在”されるか、または各構成要素が他の構成要素を通じて“連結”、“結合”、または“接続”されることもできると理解されるべきである。
【００２３】
図１は、本実施形態に係るディスプレイ装置１００の概略的な構成を示すものである。
【００２４】
図１を参照すると、本実施形態に係るディスプレイ装置１００は、画像を表示するディスプレイパネル１１０と、ディスプレイパネル１１０に光を照射するバックライトユニット（Back Light Unit）と、ディスプレイ装置１００の各構成要素を締結するためのシャーシユニット（Chassis Unit）などを含むことができる。
【００２５】
ディスプレイパネル１１０は、薄膜トランジスタ（Thin Film Transistor）、各種の信号ラインなどが配置された第１基板１１１と、カラーフィルタ（Color Filter）が配置された第２基板１１２などを含むことができる。
【００２６】
バックライトユニットは、ディスプレイパネル１１０の下部に配置され、ディスプレイパネル１１０に光を照射する光源装置１４０を含むことができる。
【００２７】
このようなバックライトユニットは、光源装置１４０がディスプレイパネル１１０の下部に位置する直下タイプ（Direct Type）であることも、または光源装置１４０がディスプレイパネル１１０の側面に位置するエッジタイプ（Edge Type）であることもできる。
【００２８】
図１はバックライトユニットが直下タイプである場合を図示したものであって、ディスプレイパネル１１０の下部に光源とレンズなどから構成された光源装置１４０が配置できる。
【００２９】
バックライトユニットがエッジタイプである場合には、光源装置１４０がディスプレイパネル１１０の側面に配置され、光源装置１４０から出射された光をディスプレイパネル１１０にガイドする導光板（図示せず）を含むことができる。
【００３０】
バックライトユニットは、光源装置１４０のレンズまたは導光板の上部に光を拡散させる拡散シートなどの少なくとも１つのシート（または、拡散板、１２０）を含むことができ、光源装置１４０または導光板の下部に光効率を高めるための反射板（図示せず）などを含むことができる。
【００３１】
ここで、拡散板１２０が下部に垂れる現象を防止するために、拡散板１２０の下部に拡散板１２０を支持する拡散板サポータ１５０が配置できる。
【００３２】
このような拡散板サポータ１５０は光源装置１４０の間に配置され、拡散板１２０の下部を支持する構造を有することができる。
【００３３】
シャーシユニットは、ディスプレイパネル１１０及びバックライトユニットなどの構成要素を締結または保護する役割をすることができ、ガイドパネル（図示せず）と、カバーボトム１３０などを含むことができる。
【００３４】
図２は、本実施形態に係るディスプレイ装置１００におけるバックライトユニットが直下タイプである場合、バックライトユニットの構造の例示を示すものである。
【００３５】
図２を参照すると、本実施形態に係るバックライトユニットは、光源装置１４０と、光源装置１４０と離隔して配置された拡散板１２０と、光源装置１４０及び拡散板１２０などを収納するカバーボトム１３０を含むことができる。
【００３６】
また、拡散板１２０とカバーボトム１３０との間で拡散板１２０を支持する構造物である拡散板サポータ１５０が配置できる。
【００３７】
このような拡散板サポータ１５０は、カバーボトム１３０のホールに締結されて固定され、突出した形態を有し、拡散板１２０の下面を支持することができる。
【００３８】
ここで、拡散板サポータ１５０は、拡散板１２０が垂れることを防止するために配置されるので、カバーボトム１３０により拡散板１２０が支持されないカバーボトム１３０の中央領域に配置できる。
【００３９】
即ち、図２に図示したように、カバーボトム１３０の上面に光源装置１４０が配置されない位置に拡散板サポータ１５０が配置できる。
【００４０】
したがって、拡散板サポータ１５０が光源装置１４０から出射された光が拡散板１２０に到達することを妨害することがある。これを防止するために、透明な拡散板サポータ１５０を使用することもできるが、透明な拡散板サポータ１５０を使用する場合、拡散板サポータ１５０が締結されるカバーボトム１３０のホールを通じて光漏れが発生する問題点が存在する。
【００４１】
本実施形態は、光源装置１４０から出射された光の拡散を妨害しない、かつカバーボトム１３０の背面に光漏れが発生しないようにする拡散板サポータ１５０を提供する。
【００４２】
図３は、本実施形態に係る拡散板サポータ１５０の第１実施形態を示すものである。
【００４３】
図３を参照すると、本実施形態に係る拡散板サポータ１５０は、突出した形態を有し、拡散板１２０を支持する支持部１５１と、支持部１５１の下端部と連結されたベース１５２と、ベース１５２の下面から突出した締結部１５３を含むことができる。
【００４４】
このような拡散板サポータ１５０の支持部１５１は、拡散板１２０の下面を支持して拡散板１２０が垂れることを防止し、透明な素材で構成できる。
【００４５】
拡散板１２０の下面を支持することによって、カバーボトム１３０と拡散板１２０との間に位置する拡散板サポータ１５０の支持部１５１を透明な素材で構成することによって、支持部１５１が光源装置１４０から出射された光の拡散を妨害しないようにする。
【００４６】
支持部１５１の下端部に連結されるベース１５２は、支持部１５１の下端部の面積より広い面積を有することができる。
【００４７】
そして、ベース１５２は、支持部１５１とは異なり、不透明な素材で構成されることができ、一例に、反射率の高いホワイト色相で構成できる。
【００４８】
ベース１５２の下面から突出した締結部１５３は、ベース１５２の下面から突出し、水平方向に延長された構造でありうる。このような締結部１５３は不透明な素材で構成されることができ、ベース１５２と同一な素材で構成されることもできる。即ち、ベース１５２と締結部１５３は同一な素材で構成されて一体に形成できる。
【００４９】
締結部１５３の構造により、拡散板サポータ１５０がカバーボトム１３０に形成されたホールに締結できる。
【００５０】
一例に、締結部１５３がカバーボトム１３０に形成されたホールを通過した後、回転により拡散板サポータ１５０がカバーボトム１３０に締結され、固定できる。
【００５１】
拡散板サポータ１５０がカバーボトム１３０に締結されれば、締結部１５３がカバーボトム１３０のホールと下部に位置するようになる。そして、締結部１５３と連結されたベース１５２がカバーボトム１３０の上面に位置するようになる。
【００５２】
したがって、カバーボトム１３０に拡散板サポータ１５０が締結されれば拡散板サポータ１５０のベース１５２がカバーボトム１３０のホールを覆うようになり、ベース１５２が不透明な素材で構成されるので、カバーボトム１３０のホールを通じて光漏れが発生することが防止できるようにする。
【００５３】
即ち、第１実施形態に係る拡散板サポータ１５０は、拡散板１２０を支持し、カバーボトム１３０と拡散板１２０との間に位置する支持部１５１を透明な素材で構成し、カバーボトム１３０に締結されれば不透明なベース１５２がカバーボトム１３０のホールを覆って配置されるようにする。
【００５４】
これによって、拡散板サポータ１５０が光源装置１４０から出射された光の拡散を妨害しない、かつカバーボトム１３０のホールを通じて光漏れが発生する現象が防止できるようにする。
【００５５】
このような拡散板サポータ１５０は、カバーボトム１３０に締結を容易にするために、支持部１５１とベース１５２との間を連結する構造をさらに含むことができる。
【００５６】
図４は本実施形態に係る拡散板サポータ１５０の第２実施形態を示すものであって、拡散板サポータ１５０の支持部１５１とベース１５２との間に連結部１５４を含む構造を示すものである。
【００５７】
図４を参照すると、第２実施形態に係る拡散板サポータ１５０は、突出した形態を有し、拡散板１２０を支持する支持部１５１と、支持部１５１の下端部で水平方向に延長され、垂直方向に曲がった連結部１５４と、側面のうち、少なくとも一部が連結部１５４と連結されるベース１５２と、ベース１５２の下面から突出した締結部１５３を含むことができる。
【００５８】
支持部１５１は、透明な素材で構成されて光源装置１４０から出射された光の拡散を妨害しない、かつ拡散板１２０の下面を支持することができる。
【００５９】
連結部１５４は、支持部１５１の下端部で水平方向に延長され、垂直方向に曲がり、ベース１５２の側面と連結できる。
【００６０】
一例に、連結部１５４は、図４に図示したように、支持部１５１の下端部で両方向に延長され、下方に曲がり、ベース１５２の両側面と連結できる。
【００６１】
連結部１５４により支持部１５１とベース１５２が離隔されることができ、連結部１５４が取っ手の役割をすることによって、拡散板サポータ１５０の締結時、回転を容易にすることができる。
【００６２】
また、連結部１５４を透明な素材で構成することによって、連結部１５４が光源装置１４０から出射された光の拡散を妨害しないようにすることができる。
【００６３】
この際、連結部１５４は、支持部１５１と同一な素材で構成されることもでき、支持部１５１と一体に形成されることもできる。即ち、透明な素材で構成される支持部１５１と連結部１５４が同一な素材で構成されて一体に形成できる。または、同一な素材で構成され、支持部１５１と連結部１５４が連続的に連結された構造でありうる。
【００６４】
ベース１５２は、両側面が連結部１５４と連結されて支持部１５１と連結部１５４を支持し、不透明な素材で構成できる。したがって、拡散板サポータ１５０がカバーボトム１３０に締結されれば、ベース１５２がカバーボトム１３０のホールを覆う形態に配置されてカバーボトム１３０のホールを通じて光漏れが発生することを防止する。
【００６５】
即ち、第２実施形態に係る拡散板サポータ１５０は、透明な素材で構成された支持部１５１と連結部１５４により光拡散妨害を防止し、不透明な素材で構成されたベース１５２によりカバーボトム１３０の背面の光漏れが防止できるようにする。
【００６６】
また、連結部１５４の構造を通じてカバーボトム１３０に拡散板サポータ１５０の締結を容易にすることができるようにする。
【００６７】
図５は、第２実施形態に係る拡散板サポータ１５０が配置されたバックライトユニットの例示を示すものである。
【００６８】
図５を参照すると、拡散板サポータ１５０がカバーボトム１３０に締結されれば、突出した支持部１５１が拡散板１２０を支持して拡散板１２０が垂れる現象を防止する。
【００６９】
そして、拡散板サポータ１５０の支持部１５１と、連結部１５４が透明な素材で構成されることによって、光源装置１４０から出射された光の拡散を妨害しないようにする。
【００７０】
また、拡散板サポータ１５０がカバーボトム１３０に締結されれば、拡散板サポータ１５０のベース１５２がカバーボトム１３０のホールを覆うように配置され、締結部１５３がカバーボトム１３０のホールと下部に位置するようになる。
【００７１】
ここで、ベース１５２と締結部１５３を不透明な素材で構成することによって、拡散板サポータ１５０が締結されるカバーボトム１３０のホールを通じて光漏れが発生することが防止できるようにする。
【００７２】
このような拡散板サポータ１５０は、透明な素材と不透明な素材で構成されることによって、二重射出方式により製造できる。
【００７３】
一例に、透明な素材を用いて支持部１５１と連結部１５４を形成した後、不透明な素材を用いてベース１５２と締結部１５３を形成することができる。即ち、１次射出で透明な素材で構成された支持部１５１と連結部１５４を形成し、２次射出で不透明な素材で構成されたベース１５２と締結部１５３を形成し、透明な素材からなる部分と不透明な素材からなる部分を含む拡散板サポータ１５０を形成することができる。
【００７４】
したがって、透明な素材と不透明な素材を共に使用して拡散板サポータ１５０を構成することによって、拡散板サポータ１５０による光拡散妨害、背面光漏れなどは防止することができるが、透明な素材で構成された部分と不透明な素材で構成された部分との境界部分が堅くないことがある。
【００７５】
これによって、カバーボトム１３０に拡散板サポータ１５０の締結時、透明な素材部分と不透明な素材部分との境界で損傷が発生することがある。
【００７６】
図６は本実施形態に係る拡散板サポータ１５０をカバーボトム１３０に締結する方式の例示を示すものであって、第２実施形態に係る拡散板サポータ１５０を締結する場合を示すものである。
【００７７】
図６を参照すると、拡散板サポータ１５０をカバーボトム１３０に締結するために、拡散板サポータ１５０の締結部１５３をカバーボトム１３０のホールに入れて、連結部１５４を取って回転して拡散板サポータ１５０がカバーボトム１３０に固定されるようにする。
【００７８】
したがって、透明な素材からなる連結部１５４の端部と不透明な素材からなるベース１５２との境界部分に損傷が発生して透明な素材部分と不透明な素材部分が分離しうる。
【００７９】
本実施形態は、光拡散妨害と背面光漏れなどを防止することができる拡散板サポータ１５０を提供し、延いては、拡散板サポータ１５０の締結時、損傷を防止することができる拡散板サポータ１５０の構造を提供する。
【００８０】
図７は本実施形態に係る拡散板サポータ１５０の第３実施形態を示すものであって、回転締結時、拡散板サポータ１５０の損傷を防止することができるように連結部１５４とベース１５２との境界部分を補強した構造の例示を示すものである。
【００８１】
図７を参照すると、第３実施形態に係る拡散板サポータ１５０は、突出した形態であり、透明な支持部１５１と、支持部１５１の下端部で水平方向に延長され、垂直方向に曲がり、透明な連結部１５４と、側面のうちの一部が連結部１５４と連結され、不透明なベース１５２と、ベース１５２の下部から突出し、不透明な締結部１５３とを含む。
【００８２】
支持部１５１と連結部１５４は透明な素材からなるので、一体に構成できる。そして、ベース１５２と締結部１５３は不透明な素材からなり、二重射出により透明な素材からなる部分と一体に形成される。
【００８３】
ここで、連結部１５４は、ベース１５２と連結される境界部分で延長されてベース１５２の側面を覆いかぶせる構造でありうる。または、ベース１５２の側面と上面または下面の一部を覆いかぶせる構造でありうる。このような構造はベース１５２で連結部１５４と合う部分の一部が透明に構成されたものとして見ることもできる。
【００８４】
したがって、連結部１５４は、支持部１５１とベース１５２とを互いに連結する部分と、ベース１５２の側面を覆いかぶせる部分を含むことができる。そして、支持部１５１とベース１５２とを互いに連結する連結部１５４の部分は垂直方向に曲がった形態であり、ベース１５２の側面を覆いかぶせる連結部１５４の部分は水平方向に曲がった形態でありうる。
【００８５】
また、支持部１５１とベース１５２とを互いに連結する連結部１５４の部分の幅はベース１５２の側面を覆いかぶせる連結部１５４の幅より広いことがある。即ち、支持部１５１とベース１５２とを互いに連結する連結部１５４の部分は剛性のために相対的に広い幅を有することができる。そして、ベース１５２の側面を覆うかぶせる連結部１５４の部分は剛性を高め、かつ光漏れの防止のために相対的に狭い幅を有することができる。
【００８６】
透明な素材からなる連結部１５４がベース１５２との境界面から延長されてベース１５２を覆いかぶせる構造で形成されて、連結部１５４とベース１５２が接触する面積を増加させることができる。即ち、連結部１５４の幅より拡張された範囲で連結部１５４とベース１５２が接触できるようにする。
【００８７】
透明な素材からなる連結部１５４と不透明な素材からなるベース１５２が接触する面積を増加させることによって、拡散板サポータ１５０の回転締結時、互いに異なる素材からなる構成が境界で互いに分離される現象が防止できるようにする。即ち、互いに異なる素材からなる構成の間の接触面積の増加を通じて回転力に対抗する力を増加させて、拡散板サポータ１５０が回転締結される場合、損傷されないようにする。
【００８８】
このような連結部１５４とベース１５２との境界部分を補強した構造は、連結部１５４とベース１５２の全ての境界部分に適用できる。
【００８９】
一例に、図７に図示したように、ベース１５２の第１側面１０に連結される連結部１５４が第１方向（例：反回り時計方向）にベース１５２の側面を覆いかぶせながら延長できる。即ち、連結部１５４がベース１５２の第１側面１０及び第１側面１０の周辺の側面を覆いかぶせる構造でありうる。
【００９０】
ベース１５２の第２側面２０に連結される連結部１５４は、第２方向（例：時計方向）にベース１５２の側面を覆いかぶせながら延長されて、ベース１５２の第２側面２０と第２側面２０の周辺の側面を覆いかぶせる構造でありうる。
【００９１】
したがって、連結部１５４がベース１５２と連結される境界毎に補強設計を行うことによって、拡散板サポータ１５０の回転締結時、回転力により連結部１５４とベース１５２とが互いに分離されないようにすることができる。
【００９２】
このような連結部１５４とベース１５２との境界部分に対する補強設計は、多様な構造からなることができる。
【００９３】
図８及び図９は、第３実施形態に係る拡散板サポータ１５０の補償設計構造の他の例示を示すものである。
【００９４】
図８を参照すると、第３実施形態に係る拡散板サポータ１５０において、連結部１５４はベース１５２と連結される境界部分で一方向に延長され、２つの境界部分で同一な方向（例：時計方向）に延長され、ベース１５２の側面を覆いかぶせる構造でありうる。
【００９５】
具体的に、連結部１５４がベース１５２と連結される２つの境界部分のうち、いずれか１つの境界部分で時計方向に延長され、ベース１５２を覆いかぶせて、他の境界部分でも時計方向に延長され、ベース１５２を覆いかぶせる構造でありうる。
【００９６】
即ち、連結部１５４が２つの地点で同一な回転方向に延長され、ベース１５２の側面と接触する面積を増加させることによって、拡散板サポータ１５０の回転締結時、回転力に対抗する力をより増加させることができる。
【００９７】
または、補償設計を強化するために、図９に図示したように、連結部１５４がベース１５２と連結される境界部分で両方向に延長される構造でありうる。
【００９８】
具体的に、連結部１５４がベース１５２と連結される境界部分のうち、いずれか１つの境界部分で両方向に延長され、ベース１５２を覆いかぶせる構造を形成し、他の境界部分でも両方向に延長され、ベース１５２を覆いかぶせる構造を形成することができる。これによって、連結部１５４とベース１５２の接触面積が全体的に増加することによって、連結部１５４とベース１５２との境界面をより堅く形成することができる。
【００９９】
この際、ベース１５２は、カバーボトム１３０に締結された状態でカバーボトム１３０の背面の光漏れが防止できなければならないので、透明な素材からなる連結部１５４はベース１５２の光漏れ防止機能を低下させない範囲で延長形成できる。
【０１００】
図１０は、第２実施形態に係る拡散板サポータ１５０と第３実施形態に係る拡散板サポータ１５０の回転締結時、拡散板サポータ１５０の損傷有無をテストした結果を示すものである。
【０１０１】
図１０を参照すると、人Ａが第２実施形態に係る拡散板サポータ１５０と第３実施形態に係る拡散板サポータ１５０を各々５回ずつ回転締結するテストを遂行し、他の人Ｂが同一なテストを遂行した結果を示すものである。
【０１０２】
図１０のテスト結果、表に示されるように、拡散板サポータ１５０で連結部１５４とベース１５２の接触面積の狭い第２実施形態の拡散板サポータ１５０をカバーボトム１３０に締結する場合、人Ａの場合は２回、人Ｂの場合は１回、連結部１５４とベース１５２とが分離される場合が発生した。
【０１０３】
一方、連結部１５４とベース１５２との接触面積を増加させて形成された第３実施形態に係る拡散板サポータ１５０をカバーボトム１３０に締結する場合には、図１０に示すように、損傷が１回も発生しなくて第３実施形態に係る拡散板サポータ１５０を使用する場合、収率を向上させることができることを確認することができる。
【０１０４】
本実施形態によれば、拡散板サポータ１５０で拡散板１２０を支持する部分を透明な素材で構成し、カバーボトム１３０に締結される部分を不透明な素材で構成することによって、拡散板１２０への光拡散を妨害せず、カバーボトム１３０の背面への光漏れを防止し、拡散板１２０を支持することができるようにする。
【０１０５】
また、透明な素材で構成された部分と不透明な素材で構成された部分との境界部分に対する補強設計構造を通じて、拡散板サポータ１５０の回転締結時、回転力による拡散板サポータ１５０の損傷が防止できるようにする。
【０１０６】
以上の説明は、本発明の技術思想を例示的に説明したことに過ぎないものであって、本発明が属する技術分野で通常の知識を有する者であれば、本発明の本質的な特性から外れない範囲で多様な修正及び変形が可能である。したがって、本発明に開示された実施形態は本発明の技術思想を限定するためのものではなく、説明するためのものであるので、このような実施形態により本発明の技術思想の範囲が限定されるものではない。本発明の保護範囲は請求範囲により解釈されなければならず、それと同等な範囲内にある全ての技術思想は本発明の権利範囲に含まれるものとして解釈されるべきである。
【図１】
2019024003.tif 000003
【図２】
2019024003.tif 000004
【図３】
2019024003.tif 000005
【図４】
2019024003.tif 000006
【図５】
2019024003.tif 000007
【図６】
2019024003.tif 000008
【図７】
2019024003.tif 000009
【図８】
2019024003.tif 000010
【図９】
2019024003.tif 000011
【図１０】
2019024003.tif 000012